(57)【要約】  【課題】糊付された壁紙の糊の塗布具合やカットテープの貼り付き位置、また乾燥防止用フィルムに気泡が入らずに密着して貼れているかどうか確認しながら糊付巻取作業ができ、作業者の負担を軽減した壁紙糊付巻取機を提供する。  【解決手段】糊付ローラーで糊を塗布された壁紙の糊付面が見える状態で搬送されて巻き取る構造を有する壁紙糊付巻取機を提供する。そしてまた乾燥防止用フィルムやカットテープを載置又は仮止めできるテーブルを壁紙糊付巻取機の側方に設けたり、架台に設置した壁紙原反の上方に壁紙の巻取部を設けたり、糊付作業を開始した際には予め入力した距離糊付した際に自動的に一時停止して巻取部へ巻取易くする制御をしたり、多数列多段に陳列された壁紙から糊付巻取作業ができる構造を有する壁紙糊付巻取機を提供する。【選択図】    図１
2006016110.tif 000002
【特許請求の範囲】
【請求項１】
壁紙に糊付ローラーで糊を塗布し、壁紙の糊付面に対してフィルムを貼付けて巻き取る壁紙糊付巻取装置において、糊付ローラーで壁紙へ糊を塗布した後にフィルムが貼り付けられて巻き取る際に、壁紙の糊付面が作業者から見える状態で搬送されて巻き取られることを特徴とする壁紙糊付巻取機。
【請求項２】
糊付ローラーで糊付された壁紙が、ドライブローラーとナラシローラー間を通過して壁紙糊付巻取機の壁紙搬入側へ搬送されることにより糊付面が作業者から見える状態で搬送される請求項１記載の壁紙糊付巻取機。
【請求項３】
壁紙糊付巻取機の糊が塗布されて壁紙が搬送される側に、糊が塗布された壁紙と貼り合わせるためにフィルムもしくはカットテープのうち少なくともいずれかを載置又は仮止めしておくことができるテーブルを有することを特徴とする請求項１、請求項２記載の壁紙糊付巻取機。
【請求項４】
壁紙に糊付ローラーで糊を塗布し、壁紙の糊付面に対してフィルムを貼付けて巻き取る壁紙糊付巻取装置において、糊付長さを入力して壁紙をフィルムと貼り合わせて糊付作業する際に、糊付作業開始後に予め入力した所定距離だけ糊付作業が進行すると自動的に糊付作業が一時停止することを特徴とする壁紙糊付巻取機。
【請求項５】
壁紙に糊付ローラーで糊を塗布し、壁紙の糊付面に対してフィルムを貼付けて巻き取る壁紙糊付巻取装置において、壁紙が引き出し可能な状態に多数列・多段に陳列収納された壁紙原反に対して、壁紙糊付巻取機の列に関する位置決めを行う手段と、多段に陳列された壁紙原反から引き出した壁紙を壁紙糊付巻取機内へ通すための所定経路を形成する壁紙ガイド部材とを有することを特徴とする壁紙糊付巻取機。
【請求項６】
糊付ローラー上方に巻取りのために搬送される壁紙が糊付ローラー等に接触しないようにガイドするテーブルを設けたことを特徴とする請求項１、請求項２記載の壁紙糊付巻取機。
【請求項７】
壁紙糊付巻取機の壁紙搬入側上部に糊付面を作業者が見ながら巻取することができる巻取部を有し、その下方には壁紙原反を設置できる構造を有することを特徴とする請求項１乃至請求項３、請求項５、請求項６記載の壁紙糊付巻取機。
【発明の詳細な説明】
【技術分野】
【０００１】
本発明は、壁紙糊付巻取機に関するものである。さらに詳しくは、ホームセンター等の店頭において販売される壁紙に糊を塗布し、さらに糊の塗布面が乾燥しないようにフィルムを貼り付けた状態で巻き取る装置に関するものである。
【背景技術】
【０００２】
内装施工においては、壁紙施工は新築等の場合は内装施工業者が施工現場に壁紙糊付機を持ち込んで施工する場合が多いが、内装施工業者に依頼することなく、ホームセンター等で販売されている壁紙を購入して自宅の壁紙を施工するということも行われている。
【０００３】
ホームセンターやＤＩＹショップ等では、壁紙販売コーナーを設けて以前から何種類かの壁紙の販売や壁紙施工に必要な工具や糊やパテなどの副資材の販売も行われている。ホームセンターやＤＩＹショップ等で販売されている壁紙は、壁紙の裏面である糊面が水で活性化するというタイプの再湿性の壁紙や、ステッカーやシールのように離型紙を剥がしてシール面を貼り付けるタイプの壁紙等が多かった。これらのタイプの壁紙は、一度貼付した後にもう一度剥がして位置をずらしたりということがほとんどできないので、壁紙の位置合わせが非常に難しく、慎重に位置決めして気を使いながらシワなども発生しないように施工しなければならず施工性が悪いものであった。
【０００４】
内装施工業者が使用している澱粉糊は、施工途中で何度か貼り直しをしたり、一度貼り付けてもすぐに剥がして貼付位置を変えたりすることができるため施工性が良く、ホームセンターやＤＩＹショップ等の店頭でも、澱粉糊を壁紙に塗布して販売するということがされている。
【０００５】
５ｍ又は１０ｍの長さの壁紙に澱粉糊を塗布して、糊面側にカットテープの貼付けと糊面全体に対して乾燥防止フィルムを貼り、それを真空パックした状態で箱入りにして販売したりされている。また、店頭において壁紙の見本帳を置き、購入者に希望する壁紙を選んでもらい、長さや枚数について注文を受け、この注文を１カ所の糊付作業場に集約して糊付を行って、購入者の自宅へ宅配便などで配送するという販売が行われたりしている。しかし、宅配便での配送では購入者の手元には数日してから届くということとなっていたため購入者にとっては不便であった。また、特開２０００−３５５３７３号公報のような、１年半以上店頭に陳列することができる糊付き壁紙の包装品の提案などがなされてもいる。
【０００６】
また最近では郊外などに敷地面積の大きなホームセンターやＤＩＹショップが建てられ、そのような所では数十種類から百種類程度の壁紙を展示して、購入者の要望に応じて切り売りし、購入者の要望があれば、店頭で購入者が選んだ壁紙に糊付料金を追加徴収して糊を塗布することがなされ始めてきている。
【０００７】
店頭で購入された壁紙に糊を塗布するために、内装施工業者が使用する壁紙糊付機が使用されたりしており、店内で切り売りした壁紙に糊を塗布し、必要に応じ長さ方向に切断し、糊の塗布された面同士を合わせるように折りたたみ、袋に入れて購入者に渡されている。しかし袋は必ずしも密閉されているわけではないため、壁紙の端部から乾燥していくために壁紙はその日のうちに使用する必要があった。
【０００８】
糊の付いた壁紙を数日から一週間程度保管を可能にするには、糊付面全面に対してフィルムを貼り密閉した袋に入れることが必要で、顧客のニーズに応えようと図６に示すような壁紙糊付巻取機Ａを使用しているホームセンターがある。
【０００９】
図６に示した壁紙糊付巻取機Ａは従来から知られている壁紙糊付機本体Ｂを使用し、フレーム部Ｃに壁紙の原反ロールＤ、カットテープＥ、乾燥防止用フィルムロールＦを設置できるように構成し、壁紙糊付機本体Ｂで糊付した後、ナラシローラーＨの所で乾燥防止用フィルムＧとカットテープＥとを壁紙Ｉの糊付面へ貼付し、壁紙糊付機本体Ｂから排出されたあたりでハンドルを回して巻き取るように構成されている。しかし、この装置は従来の壁紙糊付機の本体を使用しているため、糊付面への乾燥防止用フィルムＧの貼付等について使い勝手よく設計されていないままに使用し、店内で作業するには種々の問題があり改善が望まれていた。
【００１０】
【特許文献１】特開２０００−３５５３７３号公報
【発明の開示】
【発明が解決しようとする課題】
【００１１】
特開２０００−３５５３７３号公報の糊付き壁紙では、１年半以上店頭に陳列を可能とするために、糊に保水剤を配合したり、また高バリヤー性の包装材を使用するためにコストがかかってしまう。そして、店頭に商品を保管するには、所定の長さのロール状にして陳列しなければならず、数十種類から百種類程度の壁紙をおくことは場所的に非常に多くのスペースを取ってしまうこととなってしまう。また、購入者が必要な長さだけの壁紙の購入をすることもできない。
【００１２】
図６に示した壁紙糊付巻取機においては、種々の問題が存在していた。その問題とは、壁紙の原反ロールＤのセットする位置が高いことである。ホームセンター等においてはこのような作業に対応するのはパートの人が多く、そのほとんどが女性であり、このために壁紙の原反ロールＤをセットする際には、原反ロールＤを持って機械の背面側（図６の右側）からセットするか、２人で機械の両側から原反ロールＤを持ってセットするということをしなければならず、原反ロールＤは１０から２０Ｋｇ程度の重量が通常あるため作業する際には女性が一人でセットすることは困難であった。そしてまた、糊付作業や巻取作業は全て巻取側において作業できると作業面や設置スペース上効率的であるのだが、図６の機械では原反ロールＤをセットする際機械の背面側からの作業となり効率的ではなかった。
【００１３】
また、図６の機械では、糊を塗布した面が下向きのため、糊付作業をしている作業者からは糊の塗布具合やカットテープＥの付き位置の具合、また乾燥防止用フィルムＧが気泡が入らずに密着して貼れているかどうかの確認ができなかった。
【００１４】
また、所定の長さの糊付及び乾燥防止フィルム等の貼付をして巻取した際に、切断するためのガイド等が特に設けられていないため、巻取位置と糊付機本体の間で適当に切断するしかなく、壁紙やフィルムに対して直角にまっすぐ切断することができなかった。
【課題を解決するための手段】
【００１５】
上記課題を解決するために本発明の請求項１は、壁紙に糊付ローラーで糊を塗布し、壁紙の糊付面に対してフィルムを貼付けて巻き取る壁紙糊付巻取装置において、糊付ローラーで壁紙へ糊を塗布した後にフィルムが貼り付けられて巻き取る際に、壁紙の糊付面が作業者から見える状態で搬送されて巻き取られることを特徴とする壁紙糊付巻取機としている。
【００１６】
本発明により、糊付作業者はホームセンター等の店内において、糊付されているかどうか、カットテープが所定の位置にうまくついているのかどうか、さらにフィルムが気泡を噛むことなく壁紙の糊付面にうまく貼り付いた状態になっているかどうかの確認をしながら糊付巻取作業が可能となる。そのため、店内において作業する人が経験の浅いパートの人でも安心しながら糊付作業が可能となる。
【００１７】
本発明の請求項２は、糊付ローラーで糊付された壁紙が、ドライブローラーとナラシローラー間を通過して壁紙糊付巻取機の壁紙搬入側へ搬送されることにより糊付面が作業者から見える状態で搬送される請求項１記載の壁紙糊付巻取機としている。
【００１８】
本発明は請求項１をより限定した発明であり、ドライブローラーとナラシローラー間を通過して壁紙糊付巻取機の壁紙搬入側へ搬送されることにより糊付面が作業者から見える状態としているので作業者が確認しながら安心して作業することができるようになるのである。
【００１９】
本発明の請求項３は、壁紙糊付巻取機の糊が塗布されて壁紙が搬送される側に、糊が塗布された壁紙と貼り合わせるためにフィルムもしくはカットテープのうち少なくともいずれかを載置又は仮止めしておくことができるテーブルを有することを特徴とする請求項１、請求項２記載の壁紙糊付巻取機としている。
【００２０】
本発明により、次の糊付作業のためにフィルムもしくはカットテープのすくなくともいずれか、又は両方をテーブルに仮止めしておくことで糊付作業前にフィルムやカットテープを都度所定の経路を通るようにセットする手間を省くことができ、店内での糊付巻取作業が効率的に行うことができるようになる。壁紙の購入者の大部分は５〜１０ｍ程度の短い寸法の壁紙を購入しており、そして購入者が変われば、購入する壁紙も当然変わるため壁紙の原反ロールの掛け替えは頻繁に行われることとなる。しかし、フィルムやカットテープは壁紙の種類に関係なく共通して使用することができるのである。
【００２１】
テーブルへの仮止めは例えばテープ等で行ったり、また適宜クリップ等を用いたりしても良く、またさらにはテーブルにフィルムやカットテープを一時的に係止できるようなクランプ手段等を適宜設けること等種々の実施形態が採用することが可能である。
【００２２】
本発明の請求項４は、壁紙に糊付ローラーで糊を塗布し、壁紙の糊付面に対してフィルムを貼付けて巻き取る壁紙糊付巻取装置において、糊付長さを入力して壁紙をフィルムと貼り合わせて糊付作業する際に、糊付作業開始後に予め入力した所定距離だけ糊付作業が進行すると自動的に糊付作業が一時停止することを特徴とする壁紙糊付巻取機としている。
【００２３】
本発明により、壁紙とフィルム及びカットテープを貼り付けした後に一時停止した位置において壁紙糊付巻取機の巻取部へセットする紙管へ巻き取るフィルム（壁紙）の先端の固定が容易となる。従来は作業者が適宜停止をして作業していたので確実に丁度良い位置での停止ができなかったりしていたが、本発明により必ず自動的に糊付作業が自動で一時停止する制御としたので作業者のミスがなく効率的な作業が可能となるのである。
【００２４】
本発明の請求項５は、壁紙に糊付ローラーで糊を塗布し、壁紙の糊付面に対してフィルムを貼付けて巻き取る壁紙糊付巻取装置において、壁紙が引き出し可能な状態に多数列・多段に陳列収納された壁紙原反に対して、壁紙糊付巻取機の列に関する位置決めを行う手段と、多段に陳列された壁紙原反から引き出した壁紙を壁紙糊付巻取機内へ通すための所定経路を形成する壁紙ガイド部材とを有することを特徴とする壁紙糊付巻取機としている。
【００２５】
本発明により、壁紙が引き出し可能な状態に多数列・多段に陳列収納された壁紙原反に対して壁紙糊付巻取機の位置決めをして、所望の壁紙を引き出し、糊付巻取作業をすることが可能となる。本発明では、作業者は重い壁紙を壁紙糊付巻取機に設置することは不要となり、購入者が所望する壁紙をその場で必要な長さ（又は長さ及び枚数）の糊付巻取作業ができ作業者への負担を軽減できる。
【００２６】
本発明の請求項６は、糊付ローラー上方に巻取りのために搬送される壁紙が糊付ローラー等に接触しないようにガイドするテーブルを設けたことを特徴とする請求項１、請求項２記載の壁紙糊付巻取機としている。
【００２７】
本発明により、糊付された壁紙がフィルム等を貼り付けられて巻取のために搬送される際に、糊付ローラー等に接触しないようにガイドされる。またこのようなテーブルの端部付近をフィルム切断のためのガイドとして使用することができ、従来課題であったフィルム等の切断についても改善することができる。
【００２８】
本発明の請求項７は、壁紙糊付巻取機の壁紙搬入側上部に糊付面を作業者が見ながら巻取することができる巻取部を有し、その下方には壁紙原反を設置できる構造を有することを特徴とする請求項１乃至請求項３、請求項５、請求項６記載の壁紙糊付巻取機としている。
【００２９】
本発明は請求項１乃至請求３、請求項５又は請求項６の従属項であるが、壁紙原反を壁紙糊付巻取機に設置することができ、その上方に壁紙の巻取位置を設けているため、作業者は請求項２のテーブルを使用することでフィルムとカットテープの事前の待機準備をしながら壁紙巻取側で糊付巻取作業をすることができ、機械周りを移動することが少なく効率的に糊付巻取作業をすることができる。
【発明の効果】
【００３０】
本発明により、糊付作業者はホームセンター等の店内において、糊付されているかどうか、カットテープが所定の位置にうまくついているのかどうか、さらにフィルムが気泡を噛むことなく壁紙の糊付面にうまく貼り付いた状態になっているかどうかの確認をしながら糊付巻取作業が可能となる。そのため、店内において作業する人が経験の浅いパートの人でも安心して糊付作業ができるようになる。
【００３１】
そしてまた、次の糊付作業のためにフィルムもしくはカットテープの少なくともいずれか、又は両方をテーブルに仮止めしておくことで糊付作業前にフィルムやカットテープを都度所定の経路を通るようにセットする手間を省くことができ、店内での糊付巻取作業を効率的に行うことができるようになる。
【００３２】
さらに本発明により、壁紙とフィルム及びカットテープを貼り付けした後に一時停止した位置において壁紙糊付巻取機の巻取部へセットする紙管へ巻き取る壁紙の先端の固定が容易にできる。
【００３３】
そしてさらに、壁紙が引き出し可能な状態に多数列・多段に陳列収納された壁紙原反に対して壁紙糊付巻取機の位置決めをして、所望の壁紙を引き出し、糊付巻取作業をすることが可能となり、重い壁紙を運んだりする必要がなくなり作業者への負担を軽減できる。
【００３４】
また糊付ローラー上方のテーブルの端部付近をフィルム切断のためのガイドとして使用して、従来課題であったフィルム等の切断についても改善したり、架台への壁紙原反設置位置上方に壁紙の巻取位置を設けることで機械周りを作業者が移動することが少なく効率的に糊付巻取作業をすることができる。
【発明を実施するための最良の形態】
【００３５】
本発明の実施の形態の一例を説明する。図１に示すように本発明の壁紙糊付巻取機１はキャスター４を設けた架台３に糊付機本体２が載置されている。架台３には壁紙原反ロール５を設置できる構成とし、またその上方に糊付及びフィルム貼りを完了した壁紙Ｉの巻取を行う巻取部６を設けている。また壁紙Ｉと貼り合わせるフィルムとして乾燥防止用フィルム７の原反を図１右下側に設置できる構成ともなっている。この乾燥防止用フィルム７は、透明もしくは半透明で壁紙Ｉの糊付き具合やカットテープ等の付き具合が貼付後に確認できるフィルムが使用されている。カットテープ８については、従来知られている自動壁紙糊付機同様、壁紙Ｉの左右端部に貼り付けすることができるよう、架台３の両側にそれぞれ設置できる構成となっている。
【００３６】
糊付機本体２の構造について説明すると、ローラー等の構成は壁紙糊付機と同等の構成となっており、開閉可能な上部フレーム２１に検尺ローラー２３とハイテンションローラー２４とドライブローラー２５が設けられている。下部フレーム２２側には、送り出しローラー２６とドクターローラー２７と糊付ローラー２８とナラシローラー２９が設けられている。従来から知られている自動壁紙糊付機においては２４のハイテンションローラー以外はモーター駆動により所定の周速比で回転するように歯車で駆動伝達が行われていたが、本壁紙糊付巻取機１において、２９のナラシローラーには駆動源による回転の伝達がなされずにナラシローラー２９は自由に回転自在な状態で糊付機本体２に設けられている。また、糊箱３０が糊付機本体２に対して着脱自在に設けられ、糊箱３０内に糊上ローラー３１が設けられている点は従来の自動壁紙糊付機と同様である。
【００３７】
そして、図１においてナラシローラー２９の右側には第１テーブル３２が設けられている。第１テーブル３２は糊付機本体２の両側においてテーブルフレーム３２ａ，３２ａが設けられ、それらテーブルフレーム３２ａに対してテーブル３２ｂが着脱自在に設けられている。また、検尺ローラー２３から糊付ローラー２８の上方には第２テーブル３３が設けられてもいる。架台３における各原反受け部は適宜樹脂等で製作した軸受け部を使用しておくとよい。
【００３８】
制御ボックス３４において、糊付長さや枚数等の各種の設定や、運転・停止・寸動・割り込みスイッチなどの各操作ができるスイッチが適宜設けられている。また、フットスイッチ３５も設けられ、フットスイッチ３５を作動させると糊付機本体２の停止が行われるように設定されている。任意位置ですばやく機械を停止させることができるよう、停止スイッチに関してはフットスイッチ３５が併設されているのである。もちろんこのフットスイッチ３５を踏むたびに停止と運転とを繰り返す動作をするようにしても構わない。
【００３９】
巻取部６は図３に示すように、着脱自在に構成されている巻取芯棒６ａとこの巻取芯棒６ａと嵌合して巻取を行うためのハンドル６ｂから構成されている。また巻取芯棒６ａにはバネ６ｃによって一方向に開くベーン６ｄが２カ所設けられている。
【００４０】
次に糊付作業の手順について説明する。まず乾燥防止用フィルム７とカットテープ８をナラシローラー２９に巻くようにして糊付機本体２から引き出し、引き出した先端をテープ等で第１テーブル３２に貼り付けておく。この前準備は前日の作業が完了した際等においても次の作業の際の下準備としてやっておくとよい。このとき乾燥防止用フィルム７の先端を第２テーブル３３の左側にあるステー３６まで引き出してから第１テーブル３２側へ折り返すように載置しておく。
【００４１】
糊付機本体２の上部フレーム２１を開き、送り出しローラー２６を外してできた隙間から糊箱３０内へ糊を投入する。送り出しローラー２６の着脱は自動壁紙糊付機で従来からよく知られた構造であり詳細については特に省略する。また、自動壁紙糊付機と同様に自動糊供給装置を連結して糊が所定量よりも少なくなったことを検知して自動的に糊供給が行われる構成としておいてもよい。糊の投入ができれば送り出しローラー２６は糊付機本体２へ再度設置する。
【００４２】
購入者が選定した壁紙Ｉの原反を保管場所から壁紙糊付巻取機１の所へ運び、芯棒に通し、自動壁紙糊付機でも従来から使用しているサイド板を使用して芯棒に対して壁紙Ｉの原反位置を位置調整して壁紙糊付巻取機１の架台３へ設置する。そして巻取芯棒６ａを巻取部６から外して紙管をセットし、巻取部６へ再度セットする。
【００４３】
上部フレーム２１のパチン錠を開放して、上部フレーム２１を上方に開き、制御ボックス３４に設けられている割り込みスイッチ（図示せず）を押し、設定されている一定糊付速度で糊付機本体２を作動させる。糊付機本体２を作動させた状態で壁紙Ｉを原反から引き出し、図１に示したような経路を通して糊付ローラー２８に壁紙Ｉの先端を貼り付けるように置く。
【００４４】
下部フレーム２１に設けられている送り出しローラー２６、ドクターローラー２７、糊付ローラー２８の各ローラーが回転しているため、糊付ローラー２８で糊付された状態で壁紙Ｉがナラシローラー２９側へ搬送される。壁紙Ｉの先端を指で持ち、壁紙Ｉの先端がナラシローラー２９を過ぎる位置くらいでフットスイッチ３５を作動させ糊付機本体２の動作を停止させ、その位置で壁紙Ｉの先端を乾燥防止用フィルム７へ貼り付ける。これで壁紙Ｉ先端に対して乾燥防止用フィルム７が約２０ｃｍ程度長くなった状態で貼り付けられ、またカットテープ８が壁紙Ｉ両端の適切な位置へ貼り付いた状態となる。ここで第１テーブル３２にテープ等で貼り付けられた乾燥防止用フィルム７とカットテープ８は外しておく。
【００４５】
上部フレーム２２を閉じてパチン錠で固定し、制御ボックス３４の入力装置であるテンキー（図示せず）を使用して顧客所望の長さを入力してスタートスイッチ（図示せず）で糊付作業を開始する。入力装置としては自動壁紙糊付機で知られた操作パネル等を使用すると設定枚数や糊付長さが複数組プログラムできるので作業がしやすくできる。
【００４６】
ここで、壁紙Ｉをセットしてスタートさせる位置は壁紙Ｉの先端がナラシローラー２９を過ぎる程度の位置であり、所定長さ糊付した際に壁紙Ｉを切断するのは図１の壁紙切断位置Ｘである。したがって、そのまま購入者の所望する長さを糊付してしまうと、ナラシローラー２９を過ぎる程度の位置から壁紙切断位置Ｘの間の距離（約４０ｃｍ）分長くなってしまうこととなる。そのため、購入者の所望する長さから３０ｃｍを自動的に減算する補正を制御ボックス３４で行い、減算した結果の長さを糊付する動作としている。３０ｃｍの減算であると実際には約１０ｃｍ程度所望の長さより長くなるが、これは壁紙の先端と後端に万一購入者が持ち帰りの際に乾燥部ができてしまったりすることが考えられるため、そういうことが発生したときにでも対応できるように、少し長めに店頭で糊付されて購入者に渡されているのである。もちろん３０ｃｍの減算においては、その数値は糊付作業者の所望の数字に設定変更は可能である。また、制御ボックス３４で自動的に減算させずに、作業者が暗算で３０ｃｍ減算した長さを入力して糊付するようにしてもよいのである。
【００４７】
上記の自動的に減算する補正については、購入者の希望する壁紙の長さを入力し、糊付開始時の長さのカウントを補正して３０ｃｍからカウントを始めるように制御しても構わない。そうしておくと、壁紙糊付巻取機１の制御ボックス３４には、購入者の所望する長さのまま入力した数字を表示することができ、また、糊付した長さも糊付完了時には、入力した数値と一致するので作業時に長さ寸法の誤解等が発生しないし、同じ長さの壁紙を糊付する際にも作業者にわかりやすい表示とすることができる。もちろん自動的に減算する場合でも表示については入力した数値を表示し、減算自体は内部的に演算処理して表示はしないようにしておいても構わないのである。
【００４８】
糊付機本体２が作動すると、作業者は壁紙Ｉが貼り付けられた乾燥防止用フィルム７の先端を持って、図１のように第２テーブル３３に載置するようにドライブローラー２５に巻き付けるように折り返して巻取部６の方へ軽く引っ張る。
【００４９】
乾燥防止用フィルム７の先端が丁度巻取芯棒６ａにセットした紙管にテープ等で貼り付けられる位置に搬送されてきたとき、すなわち、乾燥防止用フィルム７の先端がスタート位置から約３２ｃｍ程度前進した位置で丁度紙管に貼り付けやすい位置に前進してくるので、この３２ｃｍという寸法を一時停止位置として予め制御ボックス３４に記憶させておき、スタートから一時停止の距離分壁紙Ｉ（乾燥防止用フィルム７）を搬送すると糊付機本体２が自動的に一時停止する。もちろんこの一時停止をする寸法も作業者の好みで所望する寸法へ変更は可能である。
【００５０】
糊付機本体２が一時停止しているので、テープ等で乾燥防止用フィルム７の先端を紙管に３カ所程度テープ止めして再度スタートスイッチ（図示せず）を押す。
【００５１】
制御ボックス３４において、一時停止した糊付長さのカウント３２ｃｍからカウントが再スタートして糊付が開始される。このとき、糊付の速度に合わせて作業者は巻取部６のハンドル６ｂを回しながら壁紙Ｉの糊付き状態や、カットテープ８の貼り付き位置の確認、また乾燥防止用フィルム７が気泡をかまずに貼り付いているか等のチェックを目視で行いながら巻取作業を行う。
【００５２】
購入者が所望する長さ分糊付されたとき、すなわち、入力した長さから３０ｃｍ減算した長さ分糊付が完了したとき糊付機本体２が停止する。ここで作業者は、カッター等で壁紙切断位置Ｘにおいて壁紙Ｉを切断する。
【００５３】
壁紙Ｉの切断後、割り込みスイッチ等を押し、壁紙Ｉの後端が巻取部６に巻き取られるまで糊付機本体２を動作させ、巻取できた時にフットスイッチ３５等にて糊付機本体２の動作を停止させる。
【００５４】
作業者がカッター等で第２テーブル３３のステー３６側端部を乾燥防止用フィルム７の切断ガイド（切断ガイドはステー３６でも可である）として乾燥防止用フィルム７及び両端付近のカットテープ８を切断し、乾燥防止用フィルム７の後端をテープ止め等して１本のロール状に梱包する。それと同時に切断されたもう一方の乾燥防止用フィルム７の先端側をカットテープ８とともに第１テーブル３２へテープ等で仮止めする。
【００５５】
作業者が巻き取った糊付き壁紙を巻取芯棒６ａ毎巻取部６から取り外し、バネで付勢されているベーン６ｄが閉じる方向に巻取芯棒６ａを少し回転させながら糊付き壁紙の紙管から巻取芯棒６ａを外して次の紙管をセットして巻取部６にセットする。
【００５６】
以上で一つの壁紙Ｉの糊付作業は完了となり、あとは上記の手順を繰り返して必要な枚数分糊付作業を行う。
【００５７】
次に、ホームセンター等の店内において、複数の壁紙が図４の状態に切り売りするために陳列されている状態における本発明の壁紙糊付巻取機１の使用について説明する。上記の説明においては、壁紙Ｉを壁紙巻取糊付機１の所まで運んできて架台３にセットして糊付する実施形態を説明したが、以下では図４（ａ）のように多段に多数列陳列した壁紙を陳列した位置から引き出して糊付し、乾燥防止用フィルム等を貼るというものである。
【００５８】
壁紙はそれぞれの位置に、原反芯棒４０を通して陳列位置に壁紙が回転自在な状態で陳列されている。このとき糊付作業のために壁紙の左右への移動を防止する位置決め部材４１を図４（ｂ）に示したように原反芯棒４０に固定して設けておくとよい。
【００５９】
これら多段に陳列されている壁紙の原反５に対して、壁紙糊付巻取機１の位置決めのための位置決めストッパー４２が多段に陳列された壁紙列それぞれに設置されている。この位置決めストッパー４２に壁紙巻取糊付機１の架台３のキャスター部付近が当接する。
【００６０】
図５は、位置決めストッパー４２に当接して位置決めされた壁紙巻取糊付機１の使用状態を示している。壁紙Ｉは多段に陳列されたうちの下から２段目の壁紙を糊付している状況を開示している。
【００６１】
壁紙糊付巻取機１の乾燥防止用フィルム７の下方の架台３に陳列された壁紙Ｉの搬送経路を形成するためのガイドステー４３，４３を設けている。このガイドステー４３，４３は回転するガイドローラーとしても良い。図５に示すようにガイドステーを通過させた後は、上記で説明した壁紙原反ロール５を架台３にセットしてする場合と同様の手順となるために説明は省略する。
【００６２】
本発明の壁紙糊付巻取機１は壁紙原反ロールを架台３にセットしてもよいし、架台３にセットせずに陳列した状態のままでも糊付及び乾燥防止用フィルム貼り作業をすることができる。
【００６３】
上記の実施形態においては、キャスター４で移動できる壁紙糊付巻取機の構成で説明したが、図４のように壁紙が陳列されている場合においては、陳列された複数の壁紙に対して平行に移動できるレール等を設置し、壁紙糊付巻取機がそのレール上を移動する構成とし、常に陳列された壁紙と平行になる状態として、壁紙に対する適宜な位置で一時的に固定できるようにしてもよい。壁紙と常に平行としておくことで、糊付作業中に蛇行するという心配をなくすることが可能となる。
【図面の簡単な説明】
【００６４】
【図１】本発明の壁紙糊付巻取機の構造を説明する側面図。
【図２】本発明の壁紙糊付巻取機の壁紙のセット手順を説明する図。
【図３】本発明の壁紙巻取部を説明する図。
【図４】壁紙が多数列、多段に設置されている状態を説明する図。
【図５】多数列、多段に設置されている壁紙の糊付巻取作業を説明する側面図。
【図６】従来の壁紙糊付巻取機を説明する側面図。
【符号の説明】
【００６５】
Ａ    壁紙糊付巻取機
Ｂ    壁紙糊付機本体
Ｃ    フレーム部
Ｄ    壁紙の原反ロール
Ｅ    カットテープ
Ｆ    乾燥防止用フィルムロール
Ｇ    乾燥防止用フィルム
Ｈ    ナラシローラー
Ｉ    壁紙
Ｘ    壁紙切断位置
１    壁紙糊付巻取機
２    糊付機本体
３    架台
４    キャスター
５    壁紙原反ロール
６    巻取部
６ａ  巻取芯棒
６ｂ  ハンドル
６ｃ  バネ
６ｄ  ベーン
７    乾燥防止用フィルム
８    カットテープ
２１    上部フレーム
２２    下部フレーム
２３    検尺ローラー
２４    ハイテンションローラー
２５    ドライブローラー
２６    送り出しローラー
２７    ドクターローラー
２８    糊付ローラー
２９    ナラシローラー
３０    糊箱
３１    糊上ローラー
３２    第１テーブル
３２ａ  テーブルフレーム
３２ｂ  テーブル
３３    第２テーブル
３４    制御ボックス
３５    フットスイッチ
３６    ステー
４０    原反芯棒
４１    位置決め部材
４２    位置決めストッパー
４３    ガイドステー
【図１】
2006016110.tif 000003
【図２】
2006016110.tif 000004
【図３】
2006016110.tif 000005
【図４】
2006016110.tif 000006
【図５】
2006016110.tif 000007
【図６】
2006016110.tif 000008